(57)【要約】  携帯型加圧式シャワー（４００）兼水供給装置は、水を保持するためのタンク（４０２）と、圧力を与えるための足操作式ポンプ（４０６）と、加圧された水を吐出するためのノズル（４１０）を有する水供給ライン（４０８）とを備える。携帯型シャワー（４００）は、携帯型水ディスペンサ装置（４５０）を構成するために、フィルタ（４４８）も備えてよい。
2014511726.tif 000002
【特許請求の範囲】
【請求項１】
折り畳み可能な携帯型水ディスペンサ装置であって、
水を保持するように構成された柔軟なタンクと、
取付手段を介して前記タンクに接続された空気供給ラインと、
前記空気供給ラインに接続されたポンプであって、使用者により操作されるように構成され、前記タンク内で前記水を加圧するように構成されたポンプと、
前記タンクに接続された水供給ラインと、
前記水供給ラインに連結されたディスペンサ機構であって、前記加圧された水の制御された放出を可能にするように構成されたディスペンサ機構と、
を備える装置。
【請求項２】
前記柔軟なタンクが、溶着可能な被覆布により構成されていることを特徴とする、請求項１に記載の装置。
【請求項３】
水が、前記タンクの上面に配置された給水口キャップから前記柔軟なタンクに加えられることを特徴とする、請求項１に記載の装置。
【請求項４】
前記タンクが暗色であり、それにより前記タンク内に保持された水の太陽光加熱を可能にすることを特徴とする、請求項１に記載の装置。
【請求項５】
前記タンクが、１つ以上の透明なパネルを備えることを特徴とする、請求項１に記載の装置。
【請求項６】
前記タンクの下部に配置された支持基部を更に備え、前記支持基部が前記タンクより硬い材料で構成されていることを特徴とする、請求項１に記載の装置。
【請求項７】
前記空気供給ラインのための前記取付手段、及び前記水供給ラインが、前記支持基部を貫通することを特徴とする、請求項６に記載の装置。
【請求項８】
前記ポンプが、
上部と下部とを備え、
前記上部及び下部が一緒に溶着されて、単一の内部空洞を形成し、前記内部空洞がメッシュ材料または発泡材料で構成された伸縮ばねを備えることを特徴とする、請求項１に記載の装置。
【請求項９】
前記ポンプが前記下部の底面に空気吸入口を備え、前記下部にエアキャップを備え、前記エアキャップが前記空気供給ラインに接続するように構成されていることを特徴とする、請求項８に記載の装置。
【請求項１０】
前記空気吸入口は、空気が、前記空気供給ラインに送り込まれる前に前記ポンプ内に入り伸縮ばねを介して移動することを可能にする、１つ以上の開口部を備え、前記伸縮ばねが前記ポンプ内に移動する前記空気をろ過するように構成されていることを特徴とする、請求項９に記載の装置。
【請求項１１】
水ろ過装置を更に備え、前記水ろ過装置が前記水供給ラインに沿って配置されていることを特徴とする、請求項１に記載の装置。
【請求項１２】
携帯用の水を吐出するための水ディスペンサ装置であって、前記水ディスペンサ装置は、
水を保持するように構成された柔軟なタンクと、
取付手段を介して前記タンクに接続された空気供給ラインと、
前記空気供給ラインに接続されたポンプであって、使用者の足により操作されるように構成され、前記タンク内で前記水を加圧するように構成されたポンプと、
前記タンクに接続された水供給ラインと、
前記水供給ラインと直列に配置された水ろ過装置であって、前記水ろ過装置は前記水をろ過し、それにより携帯用の水を作り出す水ろ過装置と、
前記水供給ラインに連結されたディスペンサ装置であって、前記加圧された携帯用の水の制御された放出を可能にするように構成されたディスペンサ装置と、
を備える装置。
【請求項１３】
前記水ディスペンサ装置が携帯型のシャワー装置であることを特徴とする、請求項１に記載の装置。
【発明の詳細な説明】
【発明の詳細な説明】
【０００１】
［技術分野］
本発明は、携帯型加圧式シャワー及び携帯型水ディスペンサ装置に関する。
［背景情報］
簡易な携帯型のキャンプ用シャワーは、一般に、太陽を利用して水を温めることを容易にするため、黒色の大きい袋で構成されている。その袋は、例えばテントの最上部または木の枝などの、使用者の上にある物体から吊り下げられ、ホースにより水が重力を利用して流れ出て、シャワーを提供することができる。水の密度のため、このような袋は、多くの使用者にとって取り扱うには過度に重くなる可能性があり、袋の重量を支え得る場所であって袋を吊り下げるのに適当な場所を見つけることが、多くの状況において難しい可能性がある。その他の電池式またはプロパン式といった選択肢は、背負うには重過ぎ、多くのキャンプ用品には不便であり、また、非常に高価である。
【０００２】
したがって、求められるのは、電池を使用せず、水の袋を使用者の上に吊り下げる必要がなく、使用者がシャワーを浴びることを可能にする簡潔な構造である。
携帯用の水は、キャンピング中、ハイキング中、及び安全な飲料水から離れた所にいる人々には不可欠なものである。一般に、携帯用の飲料水は、容器または飲料装置を介して手に入れることができるが、その水は、加圧されず、容器内に収容される量が限られる。必要とされるのは、使用者が、携帯用の水を得るために、電池を使用しないで簡単に水を加圧することを可能にする、携帯型の水ディスペンサ装置である。
【０００３】
［発明の概要］
本発明は、水を保持するように構成された柔軟なタンクと、取付手段を介して前記タンクに接続された空気供給ラインと、前記空気供給ラインに接続されたポンプであって、使用者の足により操作されるように構成され、前記タンク内で前記水を加圧するように構成されたポンプと、前記タンクに接続された水供給ラインと、前記水供給ラインと連結されたシャワーノズルであって、前記加圧された水の放出を可能にするように構成されたシャワーノズルとを備えた、折り畳み可能な携帯型シャワーを特徴とする。
【０００４】
本発明の別の実施形態は、携帯用の水を吐出するための水ディスペンサ装置を特徴とし、前記水ディスペンサ装置は、水を保持するように構成された柔軟なタンクと、取付手段を介して前記タンクに接続された空気供給ラインと、前記空気供給ラインに接続されたポンプであって、使用者の足により操作されるように構成され、前記タンク内で前記水を加圧するように構成されたポンプと、前記タンクに接続された水供給ラインと、前記水供給ラインと直列に配置された水ろ過装置であって、前記水をろ過し、それにより携帯用の水を作り出す水ろ過装置と、前記水供給ラインに連結されたディスペンサ装置であって、前記加圧された携帯用の水の放出を可能にするように構成されたディスペンサ装置と、を備える。
【０００５】
本発明が、記載された本発明の目的または特徴のうちの１つ以上を満たさなければならないシステムまたは方法に限定されることが意図されてはいない点に注意することが重要である。また、本発明が、本明細書中に記載の好適な、例示的な、または主要な実施形態に限定されない点に注意することも重要である。当業者による変更及び代替は、本発明の範囲内にあるものと見なされる。
【０００６】
本発明のこれら並びにその他の特徴、及び利点は、下記の図面と考え合わせて以下の詳細な説明を読むことにより、更によく理解されるであろう。
【図面の簡単な説明】
【０００７】
【図１】本発明の一実施形態の圧力式シャワーの詳細図である。
【図２】本発明の一実施形態のポンプの詳細な断面図である。
【発明を実施するための形態】
【０００８】
[好適な実施形態の詳細な説明]
図１に示される本発明の別の実施形態においては、携帯型シャワー４００が提供されている。携帯型シャワー４００は、水を保持するように構成された、好ましくは溶着可能な被覆布製の、柔軟なタンク４０２を備える。水は、好ましくは上面４１４に位置する給水口キャップ４２０から、タンク４０２に加えられる。タンク４０２は、タンク４０２内に保持された水を太陽光で温めることを容易にするため、黒などの暗色であることが好ましい。タンク４０２は、そのタンク４０２に残っている水の量を使用者が見ることを容易にするため、１つ以上の透明な窓４２２を備えてもよい。タンク４０２は、ポンプ４０６に接続された空気供給ライン４０５に対して、取付手段４０４によって接続されている。ポンプ４０６は、使用者の足により操作可能な、簡単なポンプであることが望ましい。ポンプ４０６は、使用者により操作された際に、タンク４０２内の水を加圧するように構成されている。タンク４０２内の水が加圧されると、水は水供給ライン４０８を上昇して、シャワーノズル４１０に達する。シャワーノズル４１０は、使用者の手に保持され、シャワーノズル４１０のレバー４１２を握ることによって開かれる。また、シャワーノズル４１０は、シャワーノズルの回転など、他のどのような従来機構により操作されてもよい。使用者は、システム内で水圧を生じさせて、シャワーノズル４１０からの水の放出を容易にするため、足を用いてポンプ４０６を手動で操作する。使用者が携帯型シャワー４００を使用し終わった際に、使用者は、単にポンプ４０６の操作を停止し、シャワーノズル４１０のレバー４１２を握った後、給水口キャップ４２０を介して残りの水を全て捨てることによって、システム内の圧力を開放する。
【０００９】
携帯型シャワー４００はまた、その他の特徴を有してもよい。タンク４０２は、タンク４０２の下部に備えられた支持基部４３０を特徴としてもよい。支持基部４３０は、プラスチックまたは複合材料などの硬質材料で構成され、タンク４０２に追加的な支持を与える働きをすることが望ましい。空気供給ライン４０５用の取付手段及び水供給ライン４０８は、支持基部４３０の領域に備えられてもよい。取付手段は、支持基部４３０の外部に備えられてもよく、その後、支持基部４３０を介してタンク４０２の底面の位置まで移動してもよい。水供給ラインと空気供給ラインとをタンク４０２の下部に取り付けることにより、タンク４０２から水を容易かつ完全に排出することができる。タンク４０２は、携帯型シャワー４００の持ち運びを容易にするため、好ましくはタンク４０２の上面４１４に位置する、持ち手４３２を備えてもよい。タンク４０２の上面４１４は、タンク４０２内の水のレベルを見やすくするため、透明色であってもよい。携帯型シャワー４００は、使用しないときには完全に折り畳み可能である。携帯型シャワー４００は、実質的に支持基部４３０と同じ直径及び高さである保管袋（図示なし）に保管されるように設計されている。
【００１０】
図２のポンプ４０６は、地面に置いて使用者の足で操作されるように設計されている。ポンプ４０６は、上部４４０及び下部４４２を備えてもよい。上部及び下部４４０／４４２は一緒に溶着されて、単一の内部空洞４４６を形成する。使用者は、上部４４０の上面４５４に足を載せてポンプを操作する。ポンプ４０６の内部空洞４４６は、メッシュ材料または発泡材料で構成されたフィルタ４４８を備えてもよい。フィルタ４４８は、内部空洞４４６の大部分を占めるように構成され、２つの目的を果たす。第一に、フィルタ４４８は、伸縮ばねのように、ポンプが動かされた（踏まれた）後、ポンプが元の形状に「跳ね」返ることができるよう、形状または外形をポンプに与える。第二に、フィルタ４４８はまた、ゴミ、屑、またはその他の物質がポンプ４０６内に入って、空気供給ライン４０５からタンク４０２に上昇することを抑制する。ポンプ４０６は、下部４４２の下面４５２にある空気吸入口４５０を備え、また、下部４４２にあるエアキャップ４４４を備える。空気吸入口４５０は、空気が、空気供給ライン４０５に送り込まれる前にポンプ４０６内に入りフィルタを通って移動することを可能にする、１つ以上の開口部を備える。エアキャップ４４４は、開放状態において、使用者が捕捉された屑やゴミをポンプから取り出すことを可能にし、また、使用者が保管のためにポンプを完全にしぼませることを可能にする。
【００１１】
本発明の別の実施形態において、携帯型シャワー装置４００は、水ろ過装置４５０として利用してもよく、水ろ過装置４５０を備えてもよい。水ろ過装置４５０は、水供給ライン４０８内のいずれかの位置において、直列に配置されることが望ましい。水ろ過装置４５０は、ポンプ４０６及びタンク４０２が、携帯用の水を吐出することを可能にする。この実施形態において、シャワーノズル４１０は、携帯用の水の制御された放出が提供されるよう、異なるタイプのノズルまたは水ディスペンス装置と交換されてもよい。水ろ過装置４５０は、非常に軽量であることが好ましく、以下のもののうち１つ以上をろ過して取り除くことができる水ろ過要素として、一般に利用されており周知であるどのようなタイプのものでもよい。すなわち、バクテリア、原虫、揮発性有機化合物、殺虫剤、またはその他の沈殿物もしくは汚染物質である。水ろ過装置は、Ｓａｗｙｅｒ（商標）の三用途直列フィルタなどの、いかなる市販の水フィルタであってもよい。
【００１２】
当業者による変更及び代替は、以下の請求項以外によっては限定されることのない、本発明の範囲内にあるものと見なされる。
2014511726.tif 000003
2014511726.tif 000004
【国際調査報告】
2014511726.tif 000005